(57)【特許請求の範囲】
【請求項１】
化粧製品又は手入れ製品の物質を詰め及び塗布する装置であって、該装置が前記物質を収容する貯留部と、該貯留部に収容された前記物質を供給及び塗布するアプリケータ端部部品とを有し、該端部部品は少なくとも１つのオリフィスを介して物質が供給されるアプリケータ表面を規定するような装置において、
前記オリフィス（３０ａ）が前記アプリケータ表面から或る距離において空洞又は溝（２５、４９）に開口し、前記溝又は空洞は、第１区域（２５ｃ、４９ａ、６３ａ）および第２区域（２５ｄ、４９ｂ、６３ｂ、６３ｃ、６３ｄ）を有し、少なくとも第一の充填の操作の間は、前記第２区域が前記物質により満たされる前に、前記第１区域が前記物質により満たされ、前記第２区域が、前記第１区域と連通すると共に前記アプリケータ表面上に過剰に存在する前記物質の全て又は一部を集めるのに適しているように、前記オリフィスに対して、前記第１区域および前記第２区域が配置されていることを特徴とする化粧製品又は手入れ製品の物質を詰め及び塗布する装置。
【請求項２】
請求項１に記載の装置において、前記アプリケータ表面が少なくとも１つの面取りされた部分を含んでいることを特徴とする装置。
【請求項３】
請求項１又は請求項２に記載の装置において、前記溝又は空洞が前記アプリケータ表面に開口する開口部においてフロック加工されていることを特徴とする装置。
【請求項４】
請求項１ないし３の何れか一項に記載の装置において、前記アプリケータ表面の全体がフロック加工されていることを特徴とする装置。
【請求項５】
請求項１ないし４の何れか一項に記載の装置において、前記オリフィスが前記端部部品上で偏心していることを特徴とする装置。
【請求項６】
請求項１ないし５の何れか一項に記載の装置において、前記アプリケータ表面が少なくとも１つの面取りされた部分を有し、前記オリフィスが該面取りされた部分の底部側領域に位置されていることを特徴とする装置。
【請求項７】
請求項１ないし６の何れか一項に記載の装置において、前記溝又は空洞は前記オリフィスと前記アプリケータ表面との間において前記物質に異なる量のヘッドロスを付与するような経路を各々有し、これにより前記物質が優先的な経路に従うようにしたことを特徴とする装置。
【請求項８】
請求項７に記載の装置において、前記溝又は空洞が変化する高さのものであることを特徴とする装置。
【請求項９】
請求項１ないし８の何れか一項に記載の装置において、前記溝又は空洞には単一のオリフィスのみが開口していることを特徴とする装置。
【請求項１０】
請求項１ないし９の何れか一項に記載の装置において、前記溝又は空洞が前記アプリケータ表面に開口する開口部の幅は、唇の又は皮膚の表面が前記溝又は空洞内に含まれる前記物質により塗布する際に接触するのに充分な程大きいことを特徴とする装置。
【請求項１１】
請求項１０に記載の装置において、前記アプリケータ表面と同じレベルの前記溝又は空洞の何れの対向する縁部も１mmより大きな距離だけ離隔されていることを特徴とする装置。
【請求項１２】
請求項１ないし１１の何れか一項に記載の装置において、前記アプリケータ表面が先端のような凹凸状の部分を有していないことを特徴とする装置。
【請求項１３】
請求項１ないし１２の何れか一項に記載の装置において、前記端部部品が第１部分（１４）と、該第１部分に嵌着される第２部分（１５）とを有し、前記第２部分が少なくとも一部において前記アプリケータ表面を規定していることを特徴とする装置。
【請求項１４】
請求項１３に記載の装置において、前記溝又は空洞が、前記第２部分における１以上の開口により少なくとも部分的に形成されていることを特徴とする装置。
【請求項１５】
請求項１３又は請求項１４に記載の装置において、前記第１区域（２５ｃ）と前記第２区域（２５ｄ）とが、前記第１部分と前記第２部分との間に規定される空間（３３）を介して連通することができることを特徴とする装置。
【請求項１６】
請求項１５に記載の装置において、前記空間は前記物質が前記第２部分（１５）の下を流れることを可能にすることを特徴とする装置。
【請求項１７】
請求項１３ないし１６の何れか一項に記載の装置において、前記２つの部分の一方が当該部分の縁部まで延在するフロック加工の被覆を有し、該縁部が前記２つの部分の他方のフロック加工されていない縁部に接触していることを特徴とする装置。
【請求項１８】
請求項１３ないし１７の何れか一項に記載の装置において、前記第１部分がフロック加工されていない環状の外側スカートを有していることを特徴とする装置。
【請求項１９】
請求項１３ないし１８の何れか一項に記載の装置において、前記第２部分が格子（１５）を含むか又は格子により構成されることを特徴とする装置。
【請求項２０】
請求項１３ないし１９の何れか一項に記載の装置において、前記第２部分が環状溝（２５）又は閉じた曲線の周りに延在する空洞を有していることを特徴とする装置。
【請求項２１】
請求項２０に記載の装置において、前記溝又は空洞は外部に開口する箇所において如何なる断面の狭まりも有さず、これにより皮膚又は唇の表面が前記溝又は空洞の内側に一層深く侵入するのを可能にして、前記溝又は空洞から適宜物質を抽出することを特徴とする装置。
【請求項２２】
請求項１３ないし２１の何れか一項に記載の装置において、前記第２部分（４２）が、面取りされたアプリケータ表面を規定すると共に前記物質に対して優先された経路を形成するような、変化する高さのものであることを特徴とする装置。
【請求項２３】
請求項１３ないし２２の何れか一項に記載の装置において、前記第２部分が、前記第１部分と共動して、前記物質の圧力の影響の下で移動されるのに適したチェックバルブを形成するような要素（５４）を含んでいることを特徴とする装置。
【請求項２４】
請求項１３ないし２３の何れか一項に記載の装置において、前記第１部分が、物質供給通路内に位置されるか又は該通路に対面して逸らせ板を形成するような中央部分を有していることを特徴とする装置。
【請求項２５】
請求項１３ないし２３の何れか一項に記載の装置において、前記第２部分が、物質供給通路に対面して配置されるような逸らせ板を含んでいることを特徴とする装置。
【請求項２６】
請求項１３ないし２５の何れか一項に記載の装置において、前記第２部分が、前記第１部分上に漏れ防止態様で固定されていることを特徴とする装置。
【請求項２７】
請求項１３ないし２６の何れか一項に記載の装置において、前記第２部分が、前記第１部分を形成するのに使用される材料とは異なる材料により形成されていることを特徴とする装置。
【請求項２８】
請求項１ないし２７の何れか一項に記載の装置において、前記アプリケータ表面が面取りされた表面と、該面取りされた表面の周りに延在する側面とを有し、前記面取りされた表面と前記側面との両方がフロック加工されていることを特徴とする装置。
【請求項２９】
請求項１ないし２８の何れか一項に記載の装置において、前記貯留部が前記端部部品の前記部分の一方（１４）と一体的な本体（１８）により形成されていることを特徴とする装置。
【請求項３０】
請求項１ないし２９の何れか一項に記載の装置において、該装置が前記物質を供給するために前記貯留部に収容された該物質に圧力を生じさせるピストン（２０）を含んでいることを特徴とする装置。
【請求項３１】
請求項１ないし２９の何れか一項に記載の装置において、該装置は、圧力を掛けることにより前記物質が供給されるのを可能にする圧縮可能な壁部を含んでいることを特徴とする装置。
【請求項３２】
請求項３１に記載の装置において、前記圧力がユーザにより掛けられることを特徴とする装置。
【請求項３３】
請求項１ないし２９の何れか一項に記載の装置において、該装置がポンプを含むことを特徴とする装置。
【請求項３４】
請求項３３に記載の装置において、前記貯留部が当該装置に対して移動可能とすることにより、前記ポンプを作動させて一定量の物質を供給することを特徴とする装置。
【請求項３５】
請求項１ないし３４の何れか一項に記載の装置において、前記貯留部が取り外し可能であると共に詰替器を構成することを特徴とする装置。
【請求項３６】
請求項１ないし３５の何れか一項に記載の装置において、該装置は、前記端部部品上に配置された場合に前記物質の出口用の前記オリフィスを覆うのに適した少なくとも１つの内部シャッタ要素を有するような閉止キャップを含んでいることを特徴とする装置。
【請求項３７】
請求項１ないし３６の何れか一項に記載の装置を製造する方法において、前記端部部品にフロック加工の被覆及び少なくとも１つの溝又は空洞を形成することに存する工程を備え、フロック加工の被覆は、
格子の外面に接着剤を被覆する工程、および
接着剤により被覆された格子の領域に、毛材を静電的に付着させる工程、
により得られることを特徴とする方法。
【発明の詳細な説明】
【０００１】
【発明の属する技術分野】
本発明は、化粧製品又は手入れ製品の、特に唇、瞼又は顔の残部上への塗布に関する。
【０００２】
【従来の技術】
仏国特許第FR-B-2 727 608号は、先端又は先端部のアレイと、アプリケータ表面の中央における物質出口ダクトとを有する端部部品を記載している。
【０００３】
上記ダクトの端部は、隣接する先端の自由端と略同一のレベルに位置する。
【０００４】
先端間に見られるべき物質は乾いてしまう可能性があり、埃を発生する。
【０００５】
上に引用した仏国特許第FR-B-2 727 608号は、各々が格子内の各開口と整合された複数の出口オリフィス開口を有するような端部部品も記載している。
【０００６】
物質は、上述したオリフィスを介してアプリケータ領域の全体にわたって略一様に供給される。
【０００７】
仏国特許第FR-B-2 727 608号は、底部に規則的に離隔された多数のオリフィスを備えるような環状の溝を有し、該溝が物質により均一に満たされるような端部部品も記載している。
【０００８】
【発明が解決しようとする課題】
これらの既知の端部部品によれば、過剰な物質がアプリケータ表面に供給されると共に、処置されるべき表面と接触した際に該物質が上記アプリケータ表面から放出されてしまう危険性がある。
【０００９】
本発明は、上述した欠点を完全に又は一部克服することを目指すものである。
【００１０】
【課題を解決するための手段】
本発明は、これを、化粧製品又は手入れ製品の物質を詰め（包装し）及び塗布する装置であって、該装置が前記物質を収容する貯留部と、該貯留部に収容された前記物質を供給及び塗布するアプリケータ端部部品とを有し、該端部部品は少なくとも１つのオリフィスを介して物質が供給されるアプリケータ表面を規定するような装置において、前記オリフィスが前記アプリケータ表面から或る距離において空洞又は溝内に開口し、前記溝又は空洞は、前記アプリケータ表面に物質が前記溝又は空洞の第１区域を介して優先的に供給されるように構成され、前記溝又は空洞は、前記第１区域と連通すると共に前記アプリケータ表面上に過剰に存在する前記物質の全て又は一部を集めるのに適した第２区域を有していることを特徴とするような装置により達成する。
【００１１】
本発明によれば、少なくとも最初の使用の間において、上記物質を、上記オリフィスが開口する溝又は空洞全体が物質により一杯になることなく、上記アプリケータ表面に供給することができる。
【００１２】
このように、アプリケータ表面上の如何なる過剰な物質も、上記溝又は空洞のうちの物質により満たされていない領域に収容することができ、処置されるべき表面により当該端部部品から放出されてしまうのを防止することができる。
【００１３】
更に、上記オリフィスはアプリケータ表面から或る距離において溝又は空洞内に開口しているので、フロック加工の目的で使用される毛材又は接着剤が該オリフィスを閉塞してしまう危険性なしで、アプリケータ表面を少なくとも部分的にフロック加工するのが容易である。
【００１４】
かくして、本発明はフロック加工を、上記オリフィスを修理するために再穿孔する必要性なしで、且つ、フロック加工処理の間に上記オリフィスに挿入する取り外し可能なインサートを使用する必要性なしで、実施するのを可能にする。
【００１５】
特別な実施例においては、上記アプリケータ表面は少なくとも１つの面取りされた部分を含んでいる。
【００１６】
このように、上記端部部品は口紅（リップスティック）の形状と類似した形状のものとすることができる。
【００１７】
特別な実施例においては、上記溝又は空洞は、アプリケータ表面に開口する開口部においてフロック加工される。
【００１８】
これは、当該アプリケータを一層心地よいものとさせる。
【００１９】
有利には、アプリケータ表面全体がフロック加工されるものとする。
【００２０】
上記オリフィスは、当該端部部品において偏心していてもよい。
【００２１】
アプリケータ表面が少なくとも１つの面取りされた部分を有している場合は、上記オリフィスは該面取りされた部分の底側部分に配置させることができる。
【００２２】
物質をアプリケータ表面上に優先的な態様で供給するために、上記溝又は空洞は、上記オリフィスとアプリケータ表面との間に当該物質に異なる量のヘッドロスを付与するような経路を有し、これにより上記物質が優先的な経路に従うようにすることができる。
【００２３】
上記溝又は空洞は、変化する高さのものとすることができる。
【００２４】
単一のオリフィスのみしか、上記溝又は空洞内に開口する必要はない。
【００２５】
好ましい実施例においては、上記端部部品は第１部分と、該第１部分に嵌着される第２部分とを有し、第２部分は上記アプリケータ表面の少なくとも一部を規定する。
【００２６】
上記第２部分は第１部分により規定されるハウジングの内部に固定することができ、該ハウジングは第２部分の形状と相補的な形状のものとする。
【００２７】
上記溝又は空洞は、少なくとも部分的には、上記第２部分の１以上の開口により形成することができる。
【００２８】
上記溝又は空洞の第１及び第２区域は、上記第１及び第２部分の間に規定される空間を介して連通することができる。
【００２９】
斯様な空間は物質が第２部分の下で流れ戻るのを可能にすることができるので、該物質が当該端部部品上で乾燥し又は劣化してしまう危険性が少なくなる。
【００３０】
更に、上記溝又は空洞の上記第２区域に含まれる如何なる物質も、該物質が流れ戻る際に、該溝又は空洞の第１区域内で又は該第１区域に向かって流れる物質により吸い込まれる傾向にあり、かくして該溝又は空洞の第２区域は少なくとも部分的に空にされ、アプリケータ表面上に過剰に存在するかもしれない新たな物質を、適宜、受け入れることができる。
【００３１】
更に、一緒に組み立てられる上記２つの部分の使用は、フロック加工の実施を一層容易にすることができる。何故なら、上記部分の一方を別個に且つ一層容易に、多分上記フロック加工の被覆が物質を供給するために使用される１以上のオリフィスを閉塞する危険性が低減された状態で、フロック加工することができるからである。
【００３２】
好ましくは、上記２つの部分の一方が、当該部分の縁部まで延在するフロック加工の被覆を有し、該縁部が他方の部分のフロック加工されていない縁部に接触するものとする。
【００３３】
斯様な実施化は、輪郭がシャープなフロック加工の被覆を得るのを可能にし、これは綺麗な化粧効果を得るのを容易にする。
【００３４】
上記第１部分は、フロック加工されていない環状のスカートを有することができる。
【００３５】
上記２つの部分は、一方が他方の内側にスナップ固定により固着されるようにすることができ、好ましくは、これら２つの部分は漏れが防止された接続を得るように封止手段を含むようにする。
【００３６】
変形例においては、上記２つの部分は加熱封止、接着剤又は熱据込み（heat upsetting）により互いに固着することができる。
【００３７】
好ましい実施例においては、上記第２部分は格子を含むか、又は格子により構成されるものとする。
【００３８】
上記第２部分は、有利には、環状の溝又は閉曲線（多分、円形以外の曲線）の周りに延在する空洞を含む。
【００３９】
上記溝又は空洞は、好ましくは、その外側開口に向かって断面の狭まりを呈さないようにし、かくして、皮膚又は唇の表面が該溝又は空洞に一層深く侵入するのを可能にして、如何なる物質も、適宜、抽出するようにする。
【００４０】
特別な実施例においては、上記第２部分が変化する高さのものとし、面取りされたアプリケータ表面を規定すると共に、上記物質に対して優先された経路を形成する。
【００４１】
上記第２部分は、上記第１部分と共動して、上記物質の圧力により駆動されて開くのに適したチェックバルブを形成するような要素を含むことができる。
【００４２】
このバルブは、当該端部部品から上流側の物質が乾燥し及び酸化するのを防止するように作用する。
【００４３】
上記第１部分は、物質を供給する通路内に位置される又は該通路に対面するような逸らせ板（jet deflector）中央領域を含むことができる。変形例においては、上記第２部分が、物質を供給する通路に対面して位置されるような逸らせ板領域を含むことができる。
【００４４】
上記アプリケータ表面は、面取りされた表面と、該面取りされた表面の周りに延在する側面とを含むことができ、これら面取りされた表面及び側面は共にフロック加工される。アプリケータ表面は、先端のような如何なる凹凸状の部分もないものとすることができる。
【００４５】
有利には、上記溝（又は複数の溝）又は空洞（又は複数の空洞）の底部に流体供給通路が開口する上記オリフィス（又は複数のオリフィス）は、アプリケータ表面から少なくとも１ミリメートル（mm）の距離だけ後退されるものとする。
【００４６】
上記溝（又は複数の溝）又は空洞（又は複数の空洞）は比較的広くすることができ、例えば２つの対向する縁部が１mmを越えて離隔されることができ、これら縁部の間の距離は、好ましくは、唇又は皮膚の表面が上記溝又は空洞内に含まれる物質に到達することができるように選定される。
【００４７】
上記第２部分は、可撓性の又は剛性の材料から形成することができる。
【００４８】
上記第２部分は、第１部分を形成するのに使用されるものとは異なる材料から形成することができる。第１部分及び／又は第２部分を形成するのに、以下のリストから選択される１以上のプラスチック材料（又は複数の材料）を使用することができる。即ち、エチレン-プロピレン・ジエン・モノマ（EPDM）エラストマ、ニトリルゴム、ラテックス、ポリスチレン（ＰＳ）の熱可塑性エラストマ、ポリエチレン・テレフタレート（ＰＥＴ）、ポリウレタン（ＰＵ）、エチレン・ビニル・アセテート（ＥＶＡ）、ポリビニル塩化物（ＰＶＣ）、“ポリノルボーデン（Polynorborden）”又はポリプロピレン（ＰＰ）、ポリエチレン（ＰＥ）、ＰＳ、ＰＥＴ、ポリカーボネート（ＰＣ）等の比較的剛性の熱可塑性材料である。
【００４９】
特別な実施例においては、上記フロック加工の被覆は、波形を呈する縁部まで延在する。
【００５０】
特別な実施例においては、上記第２部分は、材料からなるブリッジにより相互接続された中央領域及び周辺領域を含む。
【００５１】
これらの材料からなるブリッジは、特にこれらブリッジがアプリケータ表面から著しく後退されている場合は、フロック加工する必要はない。
【００５２】
特別な実施例においては、上記第２部分は第１部分に対して偏心され、かくして、適宜、一層人間工学的な端部部品を形成することが可能となる。
【００５３】
前記貯留部は、当該端部部品の上記部分の一方と一体的に形成された本体により形成することができる。
【００５４】
当該装置は、前記物質を供給する目的で上記貯留部に収容された該物質に圧力を発生させるピストンを含むことができる。
【００５５】
上記貯留部は、更に、圧力を掛けることにより、例えばユーザが圧力を発生させることにより、上記物質が供給されるのを可能にする圧縮可能な壁部を含むこともできる。
【００５６】
当該装置は、ポンプを含むこともできる。
【００５７】
上記貯留部は取り外し可能とすることができ、その場合、該貯留部は詰替器を構成することができる。
【００５８】
当該装置がポンプを含む場合、有利には上記貯留部が当該装置の残部に対して移動可能とし、該ポンプを駆動して一定量の物質を供給するようにする。
【００５９】
有利には、当該装置は上記端部部品上に配置された場合に、上記物質出口オリフィス（又は複数のオリフィス）を覆うのに適した少なくとも１つの内部シャッタ部材を含むような閉止キャップを含むようにする。
【００６０】
また、本発明は、上述したような端部部品を製造する方法において、該方法がフロック加工の被覆を用いて実行され、前記オリフィスはフロック加工が実行された後で穿孔されることがなく、フロック加工の間に前記オリフィスにインサートを挿入することがないことを特徴とするような方法を提供する。
【００６１】
これは、上記端部部品の製造が比較的簡単になることを保証する。
【００６２】
更に、フロック加工が実施された後で当該端部部品に穿孔する如何なる必要性も避けることにより、特に当該端部部品が例えばエラストマから形成されたために該端部部品が可撓性のフロック加工された部分を有するような場合に、上記フロック加工被覆が剥がれる表面粗さ又は開始部が形成されることがないことが保証される。
【００６３】
【発明の実施の形態】
本発明は、本発明の種々の非限定的実施例の以下の詳細な説明を読むことにより及び添付図面を精査することにより、よりよく理解されるであろう。
【００６４】
図１は、物質を塗布する端部部品１１と、化粧又は手入れ製品Ｐを含むような貯留部１２を規定する本体１８と、一定量の上記物質が供給されるのを可能にする機構１３とを有する包装及びアプリケータ装置１０を示している。
【００６５】
例示として、上記物質Ｐの粘度は０.６パスカル秒（Pa.s）ないし１７Pa.sの範囲内とすることができる。
【００６６】
端部部品１１は、第１部分、即ち基部１４を有し、該基部は以下に説明するような態様で嵌着された第２部分、即ち格子１５を有している。
【００６７】
前記機構１３は、本体１８のボア内で回転すると共に、当該装置１０の底部に位置する駆動ノブ１９により回転されるのに適したねじ切りされた棒体１７を有している。
【００６８】
ピストン２０が棒体１７に噛合して、本体１８と接触した状態で平行移動すると共に該本体に対して回転するのを防止されるのを可能にし、かくしてノブ１９の回転がピストン２０を軸方向に移動させるようにすることにより、一定量の物質を本体１８の頂部に設けられた通路３０を介して押し出すようにする。
【００６９】
本例の端部部品１１の基部１４は、比較的剛性のあるプラスチック材料を鋳型形成することにより本体１８と一体的に形成されており、該基部は前記格子１５が固定されるハウジング２４を囲むような筒状スカート２３を含んでいる。
【００７０】
このように、格子１５に物質が供給されるのは、上記基部１４を介してである。
【００７１】
格子１５は、本発明の範囲を超えることなく種々の異なる方法で基部１４上に固定することができる。
【００７２】
例えば、図面に示すように、これは格子１５上に形成された凸部２６により実施することができ、該凸部はスカート２３の内側表面に形成された相補的な環状溝に漏れ防止状態でスナップ固定する。
【００７３】
説明される該例においては、格子１５は、材料からなるブリッジ１５ｃにより相互接続された中央領域１５ａ及び周辺領域１５ｂを有している。
【００７４】
領域１５ａ及び１５ｂは、これらの間に環状溝２５を残存させ、前記各ブリッジ１５ｃは該溝を横断して延在すると共に、互いの間に前記物質が当該格子１５を介して通過することができるような通路を残存させている。
【００７５】
格子１５は、外側表面２７上にフロック加工（flocking）の被覆２８を有し、該被覆は、図２から分かるように、溝２５を規定する格子１５の側面２５ａ及び２５ｂを高さの一部にわたり覆っている。
【００７６】
この場合、上記外側表面（外面）２７は平坦であって、棒体１７の軸Ｘに対して斜めに延在し、かくして端部部品１１は概ね面取りされた形状を呈している。
【００７７】
説明される該例においては、前記各ブリッジ１５ｃは外面２７から後退しており、フロック加工の被覆２８は側面２５ａ及び２５ｂを、外面２７とブリッジ１５ｃとの間の距離よりも小さい高さにわたり覆っている。
【００７８】
フロック加工の被覆２８を形成するため、格子１５は、接着剤の浴に完全に又は一部を浸すことにより、外面２７上が接着剤により被覆され、次いで、斯様にして接着剤により被覆された格子１５の上記領域に静電的に毛材が付着される。
【００７９】
使用される上記接着剤は、格子１５の前記開口を経て膜を形成するのを防止して、これら開口が閉成されるのを保証するような粘度及び表面張力を呈するよう選定される。
【００８０】
上記毛材の直径、長さ及び性質は、塗布されるべき前記物質に応じて、種々のものとすることができるか、又は略同一のものとすることができる。
【００８１】
例示として、上記毛材は、特にポリアミド、レーヨン、ポリエステル、ビスコース又は綿から形成することができる。
【００８２】
上記毛材の長さは、例えば、０.５mm又はそれ以上の長さとすることができる。
【００８３】
上記フロック加工の被覆は、図３に見られるように、格子１５の外側縁を或る長さにわたり覆っている。
【００８４】
格子１５には、ハウジング２４を貯留部１２と連通させる前記通路３０を介して物質が供給される。
【００８５】
この通路３０は、オリフィス３０ａを介してハウジング２４の底部に、溝２５の底部側領域２５ｃと整合して開口している。
【００８６】
結果として、ユーザがノブ１９を回転させると、図４に示されるように、格子１５とハウジング２４の底部との間に間隙３３が存在したとしても、環状溝２５の底部側領域２５ｃを介して押し出され始める。
【００８７】
このように、ユーザは、図５に示されるように、物質Ｐの滴Ｇが外面２７の非中央位置に供給されるようにすることができる。
【００８８】
この場合、滴Ｇは外面２７の底部側領域に位置する。
【００８９】
上記物質が底部側領域２５ｃを介して押し出された場合に環状溝２５は該物質Ｐにより部分的にしか満たされないので、図６に示すように、該物質がアプリケータ面上に拡散される間に、頂部側領域２５ｄは該物質を吸収することができる。
【００９０】
物質Ｐが局所化された態様で外面２７上に押し出されるという事実は、ユーザが、塗布の前に、どのくらい多くの物質が外面２７上に充填されつつあるかを正確に制御するのを可能にする。
【００９１】
更に、環状溝２５の上記物質が供給される領域から遠い側の領域の物質吸収能力により、アプリケータ面上で物質が過多になる危険性が低減される。
【００９２】
間隙３３は、一定量の物質が格子１５の下を巡るのを可能とするように、充分に大きく選定することもできる。
【００９３】
上記物質の通路３０から溝２５の領域２５ｃに向かう及び該領域内での巡回は、該物質が充分に速く移動すると仮定すると、間隙３３内に含まれる上記物質が運び去られ及び吸引され、かくして該物質が領域２５ｃに供給されつつある物質と混合され、これにより前記領域２５ｄを少なくとも部分的に空にするように作用するという効果を発揮する傾向にある。
【００９４】
このように、貯留部１２からの物質の新たな供給の都度に、領域２５ｄは上記アプリケータ上に過度に存在する物質の幾らかを、必要なら、受け入れることができる。
【００９５】
更に、上記物質を巡回させることは、如何なる物質も当該端部部品内に使用されずに長期間残存するのを防止し、これにより該物質の劣化を防止する助けとなる。
【００９６】
溝２５の幅は、好ましくは、図７に示すように、物質が塗布される際に端部部品１１と接触する皮膚の又は粘膜の表面が僅かに変形することができると共に、該溝内に含まれるであろう物質に浸るように、選定されるものとする。
【００９７】
記載された該例においては、フロック加工の被覆２８が格子１５の周縁２８ａまで延在し、該周縁２８ａがスカート２３のフロック加工されていない頂部端に略接触し、かくして外側から見た場合に鋭い輪郭を有するようなフロック加工を得るのを可能にしていることが分かる。
【００９８】
環状溝２５の比較的大きな寸法により、及びオリフィス３０ａがフロック加工を格子１５に適用する場合に使用される接着剤に対して露出されていないという事実により、アプリケータ表面に供給する前記通路が上記フロック加工の被覆により閉塞されてしまう危険性が低減されることも分かるであろう。
【００９９】
異なる構造を有する端部部品を本発明の範囲を越えることなく使用することも、当然、可能である。
【０１００】
例示として、図８ないし１０は、嵌着された要素、即ち格子４２、と組み合わされた支持部、即ち基部４１、を有する端部部品４０を示している。
【０１０１】
支持部４１は、物質を含む貯留部と連通した中央通路４４が通過する底部４３と、嵌着部４２が固定されたハウジング４６を規定するように作用する頂部４５とを有している。
【０１０２】
この頂部４５は高さが変化する筒状スカートの形状であり、この筒状スカートの頂部端は当該端部部品の軸に対して傾斜した面に略接している。
【０１０３】
嵌着部４２は、アプリケータ表面を規定する外面４７を有し、該外面はフロック加工被覆４８により覆われている。
【０１０４】
該端部部品４０は概ね面取りされた形状である。
【０１０５】
嵌着部４２は、前述した格子１５と同様に、材料のブリッジ４２ｃにより相互接続された中央部分４２ａ及び周辺部分４２ｂを有している。
【０１０６】
嵌着部４２は、先の実施例におけるのと同様に、ハウジング４６内にスナップ固定により固着されている。
【０１０７】
中央部分４２ａは周辺部分４２ｂと共動して、環状の溝４９を規定している。
【０１０８】
フロック加工被覆４８は環状溝４９内に幾らか延在し、該溝の両側の部分４２ａ及び４２ｂの縁部を覆っている。
【０１０９】
物質が供給される際、該物質は溝４９の底部側領域４９ａを介して優先的な形で押し出される。何故なら、図９に見られるように、該領域は当該溝が低い高さの場所であるからである。
【０１１０】
溝４９の頂部側領域４９ｂは、図１０に示すように、アプリケータ表面４７上に見られるであろう如何なる過剰な物質も回収するように作用する。
【０１１１】
中央部分４２ａは、その通路４４に対面する位置により、逸らせ板（ジェットデフレクタ）として作用する。
【０１１２】
フロック加工被覆４８は嵌着部４２の周縁４８ａまで延在し、該周縁は筒状スカート４５のフロック加工されていない頂部端４５ａと略接触している。
【０１１３】
図１１は、図８ないし１０の図示と同様の図示であり、上述した支持部４１と同一の支持部５１と、嵌着部５２とを有する端部部品５０を示している。
【０１１４】
嵌着部５２は、材料のブリッジ５２ｃにより相互接続された中央部分５２ａ及び周辺部分５２ｂを有している。
【０１１５】
嵌着部５２の外面５７はアプリケータ表面を規定している。
【０１１６】
周辺部分５２ｂは上述した周辺部分４２ｂと同一であり、該部分は同一の方法で支持部５１に固定されている。
【０１１７】
中央部分５２ａの底部はシャッタ形成部５４を呈し、該シャッタ形成部は休止状態ではハウジング４６の底部に圧接して、当該ハウジング４６を物質供給部と連通させる通路４４を閉止する。
【０１１８】
これは、当該端部部品に物質が供給されている間を除き、上記供給部を周囲空気から絶縁させる働きをする。
【０１１９】
ブリッジ５２ｃは、中央部分５２ａに対し、該中央部が通路４４内の物質からの圧力の影響で移動するような或る程度の自由度を残すように形成されている。
【０１２０】
シャッタ形成部５４は、該部分がハウジング４６の底部から遠ざかる場合に、該部分が物質に対してアプリケータ表面に向かって流れる通路を残存させるような、心立てポンチのような形状である。
【０１２１】
図１２ないし１７は、本発明が上述した２つの構成に限定されるものではないことを示すために、種々の端部部品の構成を示している。
【０１２２】
かくして、図１２は、この場合は前述した支持部１４と同一であるような支持部、即ち基部６１と、ブリッジ６２ｃにより結合された中央部分６２ａ及び周辺部分６２ｂを持つ格子、即ち嵌着部６２とを有する端部部品６０を示している。
【０１２３】
格子６２は、ブリッジ６２ｃと平行な底部側及び頂部側バー６２ｄを有している。
【０１２４】
格子６２は、複数の空洞部６３ａ、６３ｂ、６３ｃ及び６３ｄを規定し、これら空洞部の底部はアプリケータ表面から後退している。
【０１２５】
空洞部６３ａは周辺部分６２ｂと底部側バー６２ｄとの間に形成されている。
【０１２６】
また、空洞部６３ｂは、周辺部分６２ｂと、底部側バー６２ｄと、中央部分６２ａとの間に形成されている。
【０１２７】
また、空洞部６３ｃは、中央部分６２ａと、頂部側バー６２ｄと、周辺部分６２ａとの間に形成されている。
【０１２８】
また、空洞部６３ｄは頂部側バー６２ｄと周辺部分６２ｂとの間に形成されている。
【０１２９】
オリフィス６４が格子６２を受け入れるハウジングの底部に開口しており、これによりアプリケータ表面に物質を供給する。
【０１３０】
記載された該例においては、このオリフィス６４は上記空洞部６３ａ内に開口している。
【０１３１】
空洞部６３ａないし６３ｄの全ては格子６２の下側で互いに連通している。
【０１３２】
アプリケータ表面上に存在する過剰な物質は、前述した実施例において発生するような態様で、空洞部６３ｂないし６３ｄの１つにより回収することができる。
【０１３３】
格子６２の外面全体はフロック加工被覆により覆われ、該フロック加工被覆は格子６２を囲む基部６１のフロック加工されていない環状スカートまで延在している。
【０１３４】
図１３は、図５に示した端部部品とは、中央部分１５ａがアプリケータ表面の大きな部分を占める一層大きな直径の中央部分７５ａにより置換されている点で主に相違するような端部部品７０を示している。
【０１３５】
支持部と連結する箇所の格子の輪郭は円形である必要はない。
【０１３６】
例示として、図１４は支持部８２に固定された格子８１を持つような端部部品８０を示している。
【０１３７】
上記支持部８２は、面取りされた前面８３と、格子８１を受け入れるように上記前面に開口したハウジングとを有している。
【０１３８】
図１４において、格子８１は、材料からなるブリッジ８１ｃにより相互接続された中央部分８１ａ及び周辺部分８１ｂを有し、該周辺部分８１ｂが、波形を呈すると共に前面８３の相補的形状のフロック加工されていない対応する縁部に接触するように配された縁部８４までフロック加工被覆を有している。
【０１３９】
図１５は、中央部分９１ａと周辺部分９１ｂとを備える格子９１を受容するような支持部９４を有する端部部品９０を示している。
【０１４０】
周辺部分９１ｂは半径方向の外縁９２までフロック加工の被覆を有し、該外縁は支持部９４のフロック加工されていない縁部９３と接触している。
【０１４１】
周辺部分９１ｂは、中央部分９１ａを囲む波形の縁部９５を有している。
【０１４２】
図１６は、支持部１０１と嵌着部１０２とを有する端部部品１００を示し、上記嵌着部は、材料からなるブリッジ１０２ｃにより相互接続された中央部分１０２ａ及び周辺部分１０２ｂを有している。
【０１４３】
支持部１０１は筒状のスカート１０３を有し、該スカートの頂部側縁部１０４は波形を呈している。
【０１４４】
嵌着部１０２も筒状のスカート１０５を有しており、該スカートの底部側縁部１０６は上記縁部１０４の形状と相補的な形状を呈し、かくして上記２つの縁部１０４及び１０６は図１６に示すように互いに完全に接触するようになっている。
【０１４５】
嵌着部１０２は、前面１０８及び側面１０９の両方上にフロック加工の被覆を有している。
【０１４６】
このフロック加工被覆は、縁部１０６まで延在し、上記支持部のフロック加工されていない縁部１０４と接触している。
【０１４７】
当該端部部品には更に他の形状を付与することができる。
【０１４８】
即ち、当該端部部品の側面は円周的に対称である必要はない。
【０１４９】
例示として、図１７は支持部１１１と嵌着部１１２とを有する端部部品１１０を示し、上記嵌着部は、支持部１１１と接触する底側部分１１２ａと、支持部１１１の軸に対して偏心したオフセット部分１１２ｂとを有している。
【０１５０】
嵌着部１１２は面取り部を形成する頂面１１３を有している。該嵌着部１１２の外面全体はフロック加工の被覆を有している。
【０１５１】
該フロック加工被覆は、支持部１１１のフロック加工されていない頂部側縁部まで延在している。
【０１５２】
種々の他の方法で、物質を詰めることができ、アプリケータ表面に物質を供給することができる。
【０１５３】
かくして、図１に示したピストン及び駆動ねじ貯留部は、図１８に示すような変形可能な壁部を持つ貯留部と置換することができる。
【０１５４】
この図は、前述した端部部品１１と同様の端部部品１２１と、可圧縮筒体１２２により構成される貯留部とを有する包装及びアプリケータ装置１２０を示している。
【０１５５】
この場合、端部部品１２１の基部は上記筒体と一体的に形成されているが、変形例においては、該端部部品は、それ自体、上記筒体に嵌着されるような要素により構成することもできる。
【０１５６】
図１９に示すように、アプリケータ表面に物質を供給するためにポンプを使用することも可能である。
【０１５７】
この図においては、図８ないし１０を参照して説明した格子４２と同様の環状溝１５３を有する格子１３２を担持する端部部品１３１が上に装着された本体１３４を有するような装置１３０を見ることができ、該端部部品は本体１３４上に固定された支持部１３３を有している。
【０１５８】
本体１３４の底側端部１３５は詰替器１３６を受容するように開口しており、該詰替器は物質を含む貯留部１３７と、中空制御ロッド１３９を備えるポンプ１３８とを有している。
【０１５９】
上記ロッド１３９は本体１３４の頂部に位置するハウジング１４０に圧入される。
【０１６０】
このハウジング１４０は、格子１３２が固定される支持部１３３におけるハウジング１４２の底部と通路１４１を介して連通している。
【０１６１】
ポンプ１３８が休止位置にある場合、詰替器１３６は本体１３４の底部を越えて突出している。
【０１６２】
貯留部１３７の底１４４を押すことにより、ユーザは詰替器１３６を本体１３４の頂部１４５に向かって付勢することができ、これによりロッド１３９を作動させて、一定量の物質が供給されるようにする。
【０１６３】
ロッド１３９の頂部端を離れた物質は、図８ないし１０を参照して説明したのと同様の方法でアプリケータ表面に供給される。
【０１６４】
有利には、図２０に示すように、当該装置１３０は例えばスナップ固定により本体１３４上に密封状態で固定されるのに適した閉止キャップ１５１を有し、該キャップは底側端部１５０が環状溝１５３に係合するのに適した底部スカート１４８を有することにより、如何なる物質も漏れるのを防止すると共に、格子１３２下及び溝１５３内に存在し得る如何なる物質も周囲空気に触れるのを防止する。
【０１６５】
物質を塗布するために使用される上記表面は、物質を塗布するのを容易にするために及び綺麗な化粧効果を得るために面取りされるのが好ましいが、該アプリケータ表面が前記支持部の軸に対して垂直に延在するものも本発明の範囲を超えるものではない。
【０１６６】
また、上記支持部及び格子は、本発明の範囲を超えることなく種々の方法で形成することができる。
【０１６７】
特に、前記逸らせ板は上記支持部と一体的に形成することができる。
【０１６８】
また、図２１に示すように外側に向かって凸状となるか、又は図２２に示すように外面に向かって凹状となる外面を有するような格子を備える端部部品を形成することも可能である。
【０１６９】
また、図２３に示すように、格子がフロック加工により完全に覆われた端部部品を形成することも可能である。この図において、フロック加工被覆が当該端部部品の外面上を格子の上側周縁部１５５まで延在すると共に、この縁部が当該格子を受容する支持部の対応するフロック加工されていない縁部１５６と略接触していることが分かる。
【０１７０】
また、その外面の一部のみにわたりフロック加工がなされているか又はフロック加工がなされていないような格子を備える端部部品を形成することもできる。
【０１７１】
当然、本発明は上述した実施例に限定されるものではない。
【０１７２】
特に、前記基部、即ち支持部の形状、及び前記嵌着部、即ち格子の形状は、本発明の範囲を超えることなく更に修正することができる。
【０１７３】
特に、上述した実施例の種々の特徴は互いに組み合わせることができる。
【０１７４】
また、上記端部部品の第２部分は、例えばフロック加工された泡材（foam）から形成することもできる。
【図面の簡単な説明】
【図１】図１は、本発明の包装及びアプリケータ装置の概略軸断面図である。
【図２】図２は、図１の細部を示す。
【図３】図３は、格子の周部の一部を分離して示す。
【図４】図４は、物質がどの様に供給されるかを示す端部部品の切断図である。
【図５】図５は、同端部部品の概略斜視図である。
【図６】図６は、物質が同端部部品の溝又は空洞部によりどの様に回収されるかを示す。
【図７】図７は、皮膚又は唇の粘膜が同端部部品と接触した際にどの様に変形されるかを、及び同端部部品の溝又は空洞部に含まれる物質にどの様に接触するかを示す。
【図８】図８は、本発明の他の実施例を示す裁断概略軸断面図である。
【図９】図９は、本発明の更に他の実施例を示す裁断概略軸断面図である。
【図１０】図１０は、本発明の更に他の実施例を示す裁断概略軸断面図である。
【図１１】図１１は、変形実施例を示す裁断概略軸断面図である。
【図１２】図１２は、或る端部部品形状を示す概略斜視図である。
【図１３】図１３は、他の端部部品形状を示す概略斜視図である。
【図１４】図１４は、更に他の端部部品形状を示す概略斜視図である。
【図１５】図１５は、更に他の端部部品形状を示す概略斜視図である。
【図１６】図１６は、更に他の端部部品形状を示す概略斜視図である。
【図１７】図１７は、更に他の端部部品形状を示す概略斜視図である。
【図１８】図１８は、物質を詰めることができる或る方法を示す。
【図１９】図１９は、物質を詰めることができる他の方法を示す。
【図２０】図２０は、物質を詰めることができる更に他の方法を示す。
【図２１】図２１は、外側に向かって凸状のアプリケータ表面を持つ端部部品を示す。
【図２２】図２２は、外側に向かって凹状のアプリケータ表面を持つ端部部品を示す。
【図２３】図２３は、第２部分が全体的にフロック加工された端部部品を示す。
【符号の説明】
１０…包装及びアプリケータ装置
１１…端部部品
１２…貯留部
１４…第１部分（基部）
１５…第２部分（格子）
１５ａ…中央領域
１５ｂ…周辺領域
１５ｃ…ブリッジ
１８…本体
２０…ピストン
２４…ハウジング
２５…環状溝
２５ｃ…底部側領域
２５ｄ…頂部側領域
２７…外面
２８…フロック加工の被覆
３０…通路
３０ａ…オリフィス
【図１】
0003637002.tif 000002
【図２】
0003637002.tif 000003
【図３】
0003637002.tif 000004
【図４】
0003637002.tif 000005
【図５】
0003637002.tif 000006
【図６】
0003637002.tif 000007
【図７】
0003637002.tif 000008
【図８】
0003637002.tif 000009
【図９】
0003637002.tif 000010
【図１０】
0003637002.tif 000011
【図１１】
0003637002.tif 000012
【図１２】
0003637002.tif 000013
【図１３】
0003637002.tif 000014
【図１４】
0003637002.tif 000015
【図１５】
0003637002.tif 000016
【図１６】
0003637002.tif 000017
【図１７】
0003637002.tif 000018
【図１８】
0003637002.tif 000019
【図１９】
0003637002.tif 000020
【図２０】
0003637002.tif 000021
【図２１】
0003637002.tif 000022
【図２２】
0003637002.tif 000023
【図２３】
0003637002.tif 000024